(57)【要約】【課題】  コンテンツに個別の色調で仕上がるようにカスタマイズされた画像をプリント注文端末のモニタにて容易に確認する画像形成システムを提供する。【解決手段】  プリント注文受付端末１８に備えられたモニタ１９と、プリントラボ１２に備えられた写真プリンタ２２との間で、ICCプロファイルに基づきカラーマッチングをとるとともに、CMS補正処理サーバ１３からの補正データに基づき、モニタ１９及び写真プリンタ２２のICCプロファイルを修正する。プロファイル提供サーバ１４は、プリント対象画像の種別に応じて定められた色補正データをプリントラボ１２に送信し、プリント対象画像の色補正を行う。補正済み画像データはプリントラボ１２からプリント注文受付端末１８に送られ、写真プリンタ２２との間でカラーマッチングがとられたモニタ１９に表示される。【選択図】        図１
2006309462.tif 000002
【特許請求の範囲】
【請求項１】
画像のプリント注文を行うためのプリント注文端末に設けられた表示装置にプリント対象画像を表示し、プリント注文された画像に対応する画像データを印刷装置に送信して、当該印刷装置において画像をプリント出力する画像形成システムにおいて、
前記表示装置に表示される画像の色特性及び前記印刷装置でプリント出力される画像の色特性が一致するように、前記表示装置及び前記印刷装置の出力プロファイルを補正するためのプロファイル補正手段と、
前記プリント対象画像の種別に応じて定められた色補正データに基づき、前記表示装置に表示される画像及び前記印刷装置でプリント出力される画像の色補正を行うコンテンツ別色補正手段と、を備えたことを特徴とする画像形成システム。
【請求項２】
前記表示装置及び前記印刷装置は、それぞれ個別の出力プロファイルを備えており、前記プロファイル補正手段は、前記印刷装置によってプリントされたカラーパッチの色調に基づきプロファイル補正データを生成し、前記表示装置及び前記印刷装置は、前記プロファイル補正データに基づいて前記表示装置及び前記印刷装置の前記出力プロファイルを修正することを特徴とする、請求項１記載の画像形成システム。
【請求項３】
前記プロファイル補正データは、前記出力プロファイルの差分データであることを特徴とする、請求項２記載の画像形成システム。
【請求項４】
前記出力プロファイルの修正は、一定時間毎または前記印刷装置で用いられる記録紙の交換毎に行われることを特徴とする、請求項２記載の画像形成システム。
【請求項５】
前記色補正データを前記印刷装置に送信するための色補正用サーバを備え、前記印刷装置は前記色補正データに基づき色補正がなされた画像に対応する画像データを前記プリント注文端末に送信することを特徴とする、請求項１〜４のいずれか１項に記載の画像形成システム。
【請求項６】
前記色補正データを前記印刷装置及び前記表示装置に送信するための色補正用サーバを備え、前記印刷装置は前記色補正データに基づき色補正がなされた画像をプリント出力するとともに、前記プリント注文端末は前記色補正データに基づき色補正がなされた画像を前記表示装置に表示することを特徴とする、請求項１〜４のいずれか１項に記載の画像形成システム。
【請求項７】
前記プリント注文端末は、被写体を撮像してデジタル画像データを生成する撮影スタジオに設けられ、前記色補正データは撮影スタジオ毎にカスタマイズされることを特徴とする、請求項１〜６のいずれか１項に記載の画像形成システム。
【請求項８】
画像のプリント注文を行うためのプリント注文端末に設けられた表示装置にプリント対象画像を表示し、プリント注文された画像に対応する画像データを印刷装置に送信して、当該印刷装置において画像をプリント出力する画像形成方法において、
前記表示装置に表示される画像の色特性及び前記印刷装置でプリント出力される画像の色特性が一致するように、前記表示装置及び前記印刷装置の出力プロファイルを補正し、  前記プリント対象画像の種別に応じて定められた色補正データに基づき、前記表示装置に表示される画像及び前記印刷装置でプリント出力される画像の色補正を行うことを特徴とする画像形成方法。
【発明の詳細な説明】
【技術分野】
【０００１】
本発明は、デジタル画像に対応する画像をモニタで再生表示しながら色補正などの画像処理を行う画像閲覧端末と、当該画像閲覧端末とネットワークなどを介して接続され、デジタル画像に対応する画像をプリント出力する画像プリント装置とから構成される画像形成システム、及び、画像閲覧端末から送られる画像データに基づいて画像のプリント出力を行う画像形成方法に関する。
【背景技術】
【０００２】
近年、記念写真や商品の撮影を専門に行う撮影スタジオに、デジタルカメラで撮影した画像をパーソナルコンピュータ（プリント注文端末）のモニタ上に表示し、その場で画像のプリント注文を受け付けることができるようにした写真撮影システムが導入されている。プリント注文時にプリント画像の仕上がり具合をモニタにてプレゼンテーションしたり、撮影スタジオに備えられたプリンタ（例えばインクジェットプリンタ）にプリント出力することで、顧客が仕上がり画像を即座に確認することができ、これにより顧客の購買意欲を刺激することができるという利点がある。
【０００３】
プリント注文の受け付けは、デジタル撮影により得られた画像をモニタに一覧表示し、所望の画像・プリント枚数を顧客が選択することにより行われる。プリント注文に関するデータ及び顧客によって選択された画像に対応する画像データは、周知の通信手段を介して業務用の写真プリンタを備えたプリントラボに送られ、当該プリントラボにおいて高品質の画像がプリント出力される。
【０００４】
デジタル画像を用いた写真撮影システムでは、画像の仕上がり具合がプリント注文時に容易に確認できるため、プリント注文端末のモニタで確認できる画像の色調と、実際にプリント出力される画像の色調とが異なってしまうと、効率よいプレゼンテーションを行うことができない。このため、プリントラボで最終的にプリントされる画像と同じ色調で画像をモニタで確認できるようにすることが望まれている。
【０００５】
複数のデジタル画像処理装置の間でデジタル画像の色調を合わせるために、カラーマネジメント（CMS）に基づき、ICC（International Color Consortium）プロファイルを作成することが好ましく行われる。例えば、特許文献１では、デジタル画像入力装置（例えば、スキャナ及びプリンタ）から入力された画像を、当該入力装置に対応して設けられたICCプロファイルに基づいて色補正を行うとともに、プリンタ側に設けられたICCプロファイルを用いて色補正を行うことで、もとの画像と近い色調の画像をプリント出力することが記載されている。このように、プリント注文端末とプリントラボとで、それぞれICCプロファイルを設け、このICCプロファイルに基づいて画像を再生表示し、あるいはプリント出力することで、プリント注文端末側とプリントラボ側とでデジタル画像の色調を合わせることができる。
【特許文献１】特開平１０−１１２８６９号公報
【発明の開示】
【発明が解決しようとする課題】
【０００６】
上記のように、デジタル画像の色調を合わせるためにICCプロファイルが作成されたとしても、モニタないしプリンタの経時変動や記録紙の交換などといった要因により、プリント注文端末で表示される画像の色調と、プリントラボ側でプリント出力される画像の色調がずれてしまう。かかる問題を解決するには、一定時間毎、あるいは記録紙の交換毎にICCプロファイルを更新する必要がある。しかし、撮影スタジオにおいては、撮影ないしプレゼンテーションに主に重点が置かれるとともに、ICCプロファイルの作成は高度な画像処理ソフトを用いた困難な作業であるため、撮影スタジオ側では色調整を行う時間的余裕がないのが通常である。
【０００７】
また、従来のアナログ式の写真プリントにおいては、業態（例えば、営業写真）や撮影目的（例えば、結婚式や成人式）といったコンテンツ毎に好ましい色調が異なるため、コンテンツ毎に個別の色階調で画像プリントを行うことが好ましく行われている。例えば、撮影スタジオでの営業写真撮影では、例えばネガフイルムないしリバーサルフイルムを用いた撮影が行われていたため、デジタル撮影の場合であってもネガフイルム調ないしリバーサルフイルム調のプリント仕上がり具合で画像プリントを行うことが好ましく、また、ネガフイルム調ないしリバーサルフイルム調の画像をプリント注文端末において確認できることが好ましい。また、結婚式や成人式など、撮影目的毎に人物の肌色の好ましい仕上がり具合は異なるため、撮影目的毎に異なる仕上がり具合でプリントないし画像確認を行えるようにすることが、プリント写真の商品価値を高める上で好ましい。
【０００８】
さらに、プリントラボへプリント注文を行うユーザ（撮影スタジオ）毎に、好みとされる色調が異なるため、ユーザ毎にプリント画像の仕上がり具合をカスタマイズできることが好ましい。しかしながら、従来のICCプロファイルに基づくカラーマネジメントのみを用いたシステムでは、かかる要望に十分応えたものとはなっていなかった。
【０００９】
本発明は、上記課題に鑑みてなされたものであって、プリント出力される画像と同じ色調の画像をプリント注文端末のモニタにて容易に確認することができるとともに、コンテンツ及びユーザ毎に個別の色調で仕上がるようにカスタマイズされた画像をプリント注文端末のモニタにて容易に確認することができる画像形成方法及びシステムを提供することを目的とする。
【課題を解決するための手段】
【００１０】
上記目的を達成するため、本発明にかかる画像形成システムは、プリント対象画像を表示するための表示装置に表示される画像の色特性と、印刷装置でプリント出力される画像の色特性が一致するように、表示装置及び印刷装置の出力プロファイルを補正するためのプロファイル補正手段と、プリント対象画像の種別に応じて定められた色補正データに基づき、表示装置に表示される画像及び印刷装置でプリント出力される画像の色補正を行うコンテンツ別色補正手段とを備えたことを特徴とする。
【００１１】
表示装置及び印刷装置は、それぞれ個別の出力プロファイルを備えるとともに、プロファイル補正手段は、印刷装置によってプリントされたカラーパッチの色調に基づきプロファイル補正データを生成し、表示装置及び印刷装置は、このプロファイル補正データに基づいて表示装置及び印刷装置の出力プロファイルを修正することが好ましい。また、プロファイル補正データを、出力プロファイルの差分データとすることが好ましい。さらに、一定時間毎または印刷装置で用いられる記録紙の交換毎に、出力プロファイルの修正を行うことが好ましい。
【００１２】
また、色補正データを印刷装置に送信するための色補正用サーバを備えることが好ましく、印刷装置は色補正データに基づき色補正がなされた画像に対応する画像データをプリント注文端末に送信することが好ましい。あるいは、色補正データを印刷装置及び表示装置に送信するための色補正用サーバを備え、印刷装置は色補正データに基づき色補正がなされた画像をプリント出力するとともに、プリント注文端末は色補正データに基づき色補正がなされた画像を表示装置に表示するようにしても良い。
【００１３】
プリント注文端末は、被写体を撮像してデジタル画像データを生成する撮影スタジオに設けられていてもよく、色補正データは撮影スタジオ毎にカスタマイズ可能としても良い。
【００１４】
本発明にかかる画像形成方法は、プリント対象画像を表示するための表示装置に表示される画像の色特性と、印刷装置でプリント出力される画像の色特性が一致するように、表示装置及び印刷装置の出力プロファイルを補正し、プリント対象画像の種別に応じて定められた色補正データに基づき、表示装置に表示される画像及び印刷装置でプリント出力される画像の色補正を行うことを特徴とする。
【発明の効果】
【００１５】
本発明によれば、プリント対象画像を表示するための表示装置に表示される画像の色特性と、印刷装置でプリント出力される画像の色特性が一致するように、表示装置及び印刷装置の出力プロファイルを補正し、プリント対象画像の種別に応じて定められた色補正データに基づき、表示装置に表示される画像及び印刷装置でプリント出力される画像の色補正を行うようにしたから、プリント出力される画像と同じ色調の画像を表示装置にて容易に確認することができるとともに、画像のコンテンツ毎に個別の色調で仕上がるようにカスタマイズされた画像を容易に確認することができる
【００１６】
また、プロファイル補正データを、出力プロファイルの差分データとしたから、簡便に出力プロファイルを修正することができる。さらに、一定時間毎または印刷装置で用いられる記録紙の交換毎に、出力プロファイルの修正を行うようにしたから、印刷装置の出力特性の変動による影響を受けることなく、プリントされる画像と同一の色調で画像を確認することができる。
【発明を実施するための最良の形態】
【００１７】
図１に示す写真撮影システム１０は、婚礼や七五三などの記念撮影や商品撮影を専門に取り扱う撮影スタジオ１１と、撮影スタジオ１１での撮影等により得られた画像データに基づき、画像をプリント出力するプリントラボ１２とから構成される。撮影スタジオ１１及びプリントラボ１２には、カラーマネジメント（CMS）により予め定められたICC（International Color Consortium）プロファイルを補正するためのCMS補正処理サーバ１３が接続される。また、撮影スタジオ１１及びプリントラボ１２には、撮影コンテンツ及び個々の撮影スタジオ１１毎にカスタマイズされた色補正データを提供するためのプロファイル提供サーバ１４が接続される。なお、CMS補正処理サーバ１３及びプロファイル提供サーバ１４は同一のサーバから構成されていても良い。
【００１８】
撮影スタジオ１１では、デジタルカメラ１６で撮影して得られた画像データ、あるいは、メモリカードやＣＤ−Ｒなどの記録媒体１７に記録された画像データ（写真フイルムをＴＩＦＦまたはＪＰＥＧ形式でデジタイズしたものも含む）が、情報処理装置として用いられるプリント注文端末１８に取り込まれる。取り込まれた画像データに対応する画像（デジタル画像）をプリント注文端末１８のモニタ１９上に表示して画像のプリント注文を受け付けるとともに、撮影スタジオ１１に備え付けのプリンタ（例えばインクジェットプリンタ）２０にプリント出力する。
【００１９】
デジタルカメラ１７及びプリンタ１８は、例えば、ＩＥＥＥ１３９４、ＵＳＢ（Universal Serial Bus）などに準拠した通信ケーブルや、無線ＬＡＮなどによりプリント注文端末１８に接続され、プリント注文端末１８との間でデータの相互通信が可能となっている。なお、記録媒体１６も同様に、プリント注文端末１８に備えられる専用のドライバを介してプリント注文端末１８との間でデータの送受信が可能とされている。また、プリント注文端末１８は、プリントラボ１２に備えられたプリント制御端末２１に例えばインターネットを介して接続され、画像データや顧客情報データ等の各種データの送受信が可能とされている。プリントラボ１２へのプリント注文は、例えば、インターネット回線を利用したネット注文や、注文書を介した注文などによって行われる。
【００２０】
デジタルカメラ１７には、周知の撮像レンズ、ＣＣＤ、レリーズボタンの他、絞り、シャッタ速度、ズーム倍率、撮影感度などを設定するための各種設定ボタンなどが設けられ、被写体の光学像を光電変換してデジタルの画像データを出力する。この画像データは、ホワイトバランス処理などの画像処理が施されていない原画像データ（ＲＡＷデータ）であり、例えば、ＲＧＢの色毎に１２ビットで表現される階調値を持った多数の画素データから構成される。この原画像データに対し、ＲＧＢの色毎の階調値を８ビットに縮小するとともに、ホワイトバランス処理や階調変換処理などの適当な画像処理を施すとともに、ＪＰＥＧで定められたフォーマットに従って圧縮処理を施して、圧縮画像データを生成する。また、画像処理済みの画像データに間引き演算を施すことで、例えば、１２８０×９６０ピクセルのＪＰＥＧ画像データ（以下、サムネイル画像データと称す）を出力する。これら原画像データ、圧縮画像データおよびサムネイル画像データは、一つの画像データファイルとしてまとめられ、通信ケーブルや無線ＬＡＮを介してプリント注文端末１８に送信する。
【００２１】
プリント注文端末１８には、写真撮影システム用プログラム（以下、単にプログラムと称す）などの各種プログラム、画像データファイルや顧客情報データ等が記憶された記憶手段としてのハードディスクドライブ（ＨＤＤ）、ＨＤＤから読み出された画像データに対して種々の画像処理を行うデジタルシグナルプロセッサー（ＤＳＰ）、後述する顧客管理ウィンドウ３０（図４参照）や、選択ウィンドウ４０（図５参照）などを表示するモニタ１９と、デジタルカメラ１７や記録媒体１６から送信される各画像データの受信とともに、プリンタ２０やプリントラボ１２に画像データや注文データを送信するための通信Ｉ／Ｆが設けられている。プリント注文端末１８は、キーボードやマウスなどからなる操作部を介してオペレータからの操作指示を受け、プリント注文端末１８の各部を動作させる。
【００２２】
プリントラボ１２には、撮影スタジオ１１から送信された画像データ及びプリント注文データを受信するプリント制御用端末２１と、このプリント制御用端末２１から送られるプリントデータに基づいて高品位の画像プリントを出力する業務用の写真プリンタ２２が備えられている。プリント注文受付端末１８及びプリント制御用端末２１には、それぞれ、モニタ１９及び写真プリンタ２２で固有の出力特性が記述されたICCプロファイルを有しており、共通の色空間による赤、緑、青の各色データからなる画像データに対し、ICCプロファイルを参照して表示出力することで、互いに同一の色調にて画像を表示ないしプリント出力する。また、撮影スタジオ１１側のプリンタ２０にも、固有の出力特性を表すICCプロファイルが備えられている。また、プリント注文受付端末１８及びプリント制御用端末２１は、後述するように、CMS補正処理サーバ１３からの色補正データに基づいてICCプロファイルの補正を行う。
【００２３】
CMS補正処理サーバ１３は、撮影スタジオ１１のプリント注文端末１８、及びプリントラボ１２のプリント制御用端末２１に接続されており、一定時間経過後、及び写真プリンタ２２で用いられる記録紙を交換したときに、ICCプロファイルの補正要求をプリント制御用端末２１に出す。図２に示すように、CMS補正処理サーバ１３からICCプロファイルの補正要求がだされると、プリント制御用端末２１は写真プリンタ２２を駆動して補正用カラーチャートをプリント出力し、その色特性を測定してチャート測定結果としてCMS補正処理サーバ１３に出力する。CMS補正処理サーバ１３では、プリント制御用端末２１からの測定結果を受けて、ICCプロファイルを補正するための色補正データ（CMS補正データ）を生成し、これをプリント制御用端末２１に送るとともに、撮影スタジオ１１のプリント注文端末１８にも送信する。この色補正データはICCプロファイルの差分データであり、プリント制御端末２１及びプリント注文受付端末１８では、CMS補正データに基づき、ICCプロファイルを修正する。
【００２４】
プロファイル提供サーバ１４は、プリントラボ１２のプリント制御用端末２１に接続されており、プリント業態（例えば、記念写真プリントや商品広告プリント）や、撮影目的（例えば、記念写真プリントの場合は、婚礼写真、成人式など）といったコンテンツ毎にカスタマイズされた色補正データ（３次元LUT）が記憶されている。図３に示すように、プリントラボ１２からの要求に応じてプリント制御用端末２１に色補正データを送信する。例えば、商品撮影や記念撮影等の営業写真においては、プロフェッショナル用のネガフイルムを用いて撮影を行い、これに基づきプリントされた写真が好ましく用いられており、デジタル撮影においてもネガフイルム調の仕上がりでプレゼンテーション及びプリント出力することが望まれている。プロファイル提供サーバ１４は、プリントラボ１２からの要求に応じて、ネガフイルム調の色階調プロファイルを表す色補正データ（３次元LUT）をプリントラボ１２に送信し、プリントラボ１２では、色補正データに基づき、プリント注文受付端末１８から送られる画像データの色補正を行う。
【００２５】
また、結婚式や成人式における撮影では、好ましいプリント仕上がり（例えば、人物の肌の色調）が異なっており、撮影目的に応じて仕上がり具合を変えることにより、より高品位のプリント写真を形成することができる。このため、プロファイル提供サーバ１４には、撮影目的毎に好適な仕上がりプロファイルを表す色補正データ（３次元LUT）が設けられており、プリントラボ１２の要求に応じてプロファイル提供サーバ１４からダウンロードされる。プリントラボ１２では、この撮影目的（結婚式や成人式など）毎に定められた色補正データに基づき、プリント注文受付端末１８から送られる画像データの色補正を行う。業態毎及び撮影目的毎の色補正データをまとめてコンテンツ別色補正データとしてプリント制御用端末２１に送信しても良い。
【００２６】
また、プリントラボ１２のユーザである撮影スタジオ１１では、撮影環境が異なる等の要因から好みの仕上がり具合が撮影スタジオ毎に異なるため、撮影スタジオ１１毎に仕上がり具合をカスタマイズできるようにすることが好ましい。このため、プロファイル提供サーバ１４には、各ユーザ（撮影スタジオ１１）で独自の仕上がりプロファイルを表すユーザ別色補正データ（３次元LUT）が設けられており、プリントラボ１２の要求に応じてプロファイル提供サーバ１４からダウンロードされる。このユーザ別色補正データは、予め各撮影スタジオ１１によって決定され、プロファイル提供サーバ１４に記憶される。プリントラボ１２では、このユーザ別色補正データに基づきプリント注文受付端末１８から送られる画像データの色補正を行う。
【００２７】
以下、本実施例に係る写真撮影システム１０を用いた撮影・プリント出力の手順について説明する。プリント注文受付端末１８内のプログラムが起動されると、モニタ１９には、新規顧客の登録や登録内容の修正、削除、顧客の検索などを行うための顧客管理ウィンドウ３０が表示される（図４参照）。顧客管理ウィンドウ３０には、顧客の個人情報（オーダーID、受付ID、氏名、電話番号）とともに、撮影日時、撮影コンテンツ（婚礼、七五三、赤ちゃんなど）、工程の進行状況などが一覧３１として表示される。また、顧客管理ウィンドウ３０の上部には、対象となっている顧客の情報３２が表示される。対象となっている顧客は、一覧３１上でハイライト表示３３（図中ハッチングで示す）により他の顧客と区別される。プリント注文受付端末１８に備えられるマウスを操作して、ポインタ３５を各顧客の欄に合わせてクリックし、あるいはキーボードに設けられた十字キーを押圧操作することによって行われる。
【００２８】
顧客管理ウィンドウ３０の下部には、各工程に移行するためのボタン群（「撮影」、「取り込み」、「選択」、「注文」、「合成」、「検定」、「ラボ発注」、「自家処理」、および「照合」ボタン）３４が配されている。一覧３１で対象となる顧客を選択した後、これらのボタン群３４のいずれかにポインタ３５を合わせてクリックすることで、対応する工程に移行するとともに、各工程用のウィンドウに表示が切り替わる。撮影工程や取り込み工程で得られた各画像データファイルは、個人情報や注文情報などの顧客管理データに関連づけられており、顧客毎に一括した管理を行うことができる。
【００２９】
顧客管理ウィンドウ３０において、「撮影」ボタンがクリックされると、デジタルカメラ１７による被写体の撮影を補助する撮影工程に移行する。撮影工程にあるプリント注文受付端末１８は、デジタルカメラ１７から送信される各画像データファイルを、顧客管理データと関連付けて内蔵のＨＤＤに記憶していくとともに、対応する画像をモニタ１９に表示するなどして、撮影を補助する。「取り込み」ボタンがクリックされると、記録媒体１６から画像データファイルを取り込む取り込み工程に移行する。
【００３０】
「選択」ボタンがクリックされると、モニタ１３の表示が図５に示す選択ウィンドウ４０に切り替わり、顧客へのプレゼンテーションおよびプリント注文する画像の選択を行う選択工程に移行する。選択ウィンドウ４０の画像表示領域４１には、顧客管理ウィンドウ３０で選択された顧客について、撮影工程や取り込み工程で取得された全ての画像４２が、ファイルネームと、その画像４２をプリント注文するか否かの選択結果を入力するチェックボックス４３とともに表示される。
【００３１】
チェックボックス４３には、プリント注文の対象にすることを示す「○」ボタンと、検討中を示す「△」ボタンと、プリント注文の対象外にすることを示す「×」ボタンとが設けられており、オペレータが顧客とともに各画像４２の映り具合などを判定し、その結果をチェックボックス４３に入力していくことにより、プリント注文する画像４２の選択が行われる。また、画像表示領域４１の右端には、全ての画像４２が同時に表示しきれない場合に、表示すべき画像４２を順次送っていくためのスクロールバー４４が設けられている。
【００３２】
画像表示領域４１の下部には、「選択終了」ボタン４５と、「環境設定ボタン」４６と、「仕上がり確認」ボタン４７とが設けられている。プリント注文する画像４２の選択が終了した後、「選択終了」ボタン４５をクリックすると、選択工程が終了し、モニタ１３の表示が、選択ウィンドウ４０から顧客管理ウィンドウ３０に戻る。「環境設定ボタン」４６がクリックされると、選択ウィンドウ４０内に環境設定リスト（図示は省略）が表示され、例えば、画像表示領域４１に表示する画像４２のサイズ（分割数）などといった選択工程に係る各種の環境設定を設定することができる。
【００３３】
「仕上がり確認」ボタン４７がクリックされると、顧客により選択された画像４２が画像表示領域４１内で拡大表示される。このとき、選択された画像４２に対応する画像データ、及び撮影内容を表すデータがプリントラボ１２に送信され、プリントラボ１２側において、コンテンツ提供サーバ１４から送られたコンテンツ別色補正データ及びユーザ別色補正データに基づき、画像データを補正し、補正済みの画像データをプリント注文受付端末１８に送信する。プリント注文受付端末１８では、受信した画像データに基づき、画像をモニタ１９に再生表示する。
【００３４】
図２において、「注文」ボタンが選択されると、選択された画像のプリントサイズ、プリント枚数などを入力する注文工程に移行する。「検定」ボタンが選択されると、写真撮影システム２が設置された撮影スタジオで推奨する仕上がりとなるように、画像データに色補正や階調補正を施す検定工程に移行する。「ラボ発注」ボタンが選択されると、注文工程で設定されたプリントサイズおよびプリント枚数にて、選択工程で選択された画像のプリント注文をプリントラボ１２の業務用プリンタ２２に発注するラボ発注工程に移行する。「自家処理」ボタンが選択されると、プリント注文を撮影スタジオ１１内のプリンタ２０でプリント出力する自家処理工程に移行する。
【００３５】
次に、上記構成による作用について説明する。まず、プリント注文受付端末１８とデジタルカメラ１７、プリンタ２０、およびプリントラボ１２とを相互通信可能なように接続し、写真撮影システム１０を構築する。プリント注文受付端末１８を起動して、モニタ１９に顧客管理ウィンドウ３０（図４参照）を表示させる。顧客管理ウィンドウ３０では、新規顧客の登録や登録内容の修正、削除、顧客の検索などが行われる。
【００３６】
「撮影」ボタンがクリックされて撮影工程に移行し、デジタルカメラ１７による撮影が行われると、デジタルカメラ１７での撮影により得られた原画像データ、圧縮画像データ、およびサムネイル画像データが画像データファイルとしてまとめられ、さらに各種の撮影情報を表すデータが付加されて、プリント注文受付端末１８に送信される。撮影工程でプリント注文受付端末１８に記憶される各画像データは、顧客管理データと互いに関連付けられて、顧客毎に一括管理される。
【００３７】
被写体の撮影が完了し、「選択」ボタンがクリックされて選択工程に移行すると、モニタ１９の表示が、顧客管理ウィンドウ３０から選択ウィンドウ４０（図５参照）に切り替わる。選択ウィンドウ４０には、顧客管理ウィンドウ３０で選択された顧客についての全ての画像４２が表示され、オペレータが顧客とともに各画像４２の映り具合などを判定し、その結果をチェックボックス４３に入力していくことにより、プリント注文する画像４２の選択が行われる。
【００３８】
「仕上がり確認」ボタン４７がクリックされると、顧客により選択された画像４２が画像表示領域４１内で拡大表示される。このとき、選択された画像４２に対応する画像データ、及び撮影内容を表すデータがプリントラボ１２に送信され、プリントラボ１２側において、コンテンツ提供サーバ１４から送られたネガフイルム調の色階調プロファイルを表す色補正データ、コンテンツ別色補正データ及びユーザ別色補正データに基づき、画像データを補正し、補正済みの画像データをプリント注文受付端末１８に送信する。プリント注文受付端末１８では、受信した画像データに基づき、画像をモニタ１９に再生表示する。
【００３９】
ICCプロファイルに基づき、いったんモニタ１９と写真プリンタ２２との間でカラーマネジメントが確立された後であっても、モニタ１９ないし写真プリンタ２２の発色特性の経時変動や、写真プリンタ２２で用いられる記録紙の交換といった要因により、モニタ１９と業務用プリンタ２２の色特性が異なってしまう。しかし、一定時間ないし記録紙の交換毎に色特性の変動に基づきCMS補正処理サーバ１３から送信される補正データに基づきICCプロファイルが修正されるから、モニタ１９と写真プリンタ２２との間で常に同じ色階調の画像を共有することができ、従ってプリント注文時においてモニタ１９にプリントされる画像と同程度の仕上がり画像を閲覧することができる。また、写真プリンタ２２自体や記録紙の種類を交換するといった大きな特性変動でない限り、ICCプロファイルの変動量は大きくないため、既に構成されているICCプロファイルの差分をとることによりICCプロファイルの補正をおこなうことで、簡易にプロファイルの修正を行うことができる。さらに、CMS補正処理サーバ１３を利用するにあたり、撮影スタジオ１１及びプリントラボ１２から課金するようにすれば、CMS補正処理サーバ１３を管理することで収益を図ることも可能である。
【００４０】
また、プリントすべき画像のコンテンツ（記念撮影、結婚式など）に応じて予めカスタマイズされた色補正データに基づき、プリントされる画像に対応する画像データを補正するから、商品性の高いプリント画像を形成することができる。このとき、撮影スタジオ１１側のモニタ１９とプリントラボ１２側の写真プリンタ２２との間で、カラーマネジメントが確立されているから、当該モニタ１９においてプリント注文時に仕上がり画像の色合いを確認することができる。また、コンテンツ提供サーバ１４を利用するにあたり、撮影スタジオ１１及びプリントラボ１２から課金するようにすれば、コンテンツ提供サーバ１４を管理することで収益を図ることも可能である。
【００４１】
また、撮影スタジオ１１に備え付けのプリンタ２０を用いて、プレゼンテーション用の簡易画像をプリント出力することもできる。この場合は、モニタ１９のみならず、プリンタ２０についても、カラーマネジメントに基づきICCプロファイルを作成するとともに、CMS補正処理サーバ１３から補正データを受信することで、写真プリンタ２２との間で画像の色調を統一させる。
【００４２】
上記実施形態では、プリントすべき画像の選択時に画像の仕上がり具合を確認しているが、他のタイミング、例えば画像検定時に画像データをプリントラボ１２に送信して、モニタ１９にて画像の仕上がり具合を確認するようにしても良い。
【００４３】
上記実施形態では、コンテンツ別の色補正データをプリントラボ１２に対してのみ送信しているが、図６に示すように、撮影スタジオ１１に対しても送信するようにしても良い。この場合は、画像確認時に画像データをプリントラボ１２に送信する必要がなくなるため、コンテンツ毎にカスタマイズされた仕上がり画像を即座に確認することができる。
【００４４】
上記実施形態では、コンテンツ別色補正データ及びユーザ別色補正データの両方をコンテンツ提供サーバ１４からダウンロードしているが、コンテンツ別色補正データのみをダウンロードして、画像補正を行うようにしてもよい。
【００４５】
なお、上記実施形態では、記憶手段として、いわゆる内蔵型のＨＤＤを示しているが、インターネットやＬＡＮ、さらにはＵＳＢやＩＥＥＥ１３９４などを介して接続される、いわゆる外付け型のＨＤＤとしてもよい。また、ＨＤＤに限ることなく、リード／ライトが可能で、かつ不揮発性のメモリであれば、例えば、ＲＡＭやフラッシュＲＯＭなどの、他のメモリを用いてもよい。また、操作の簡便化を図るために、モニタ１９をタッチパネルで構成し、モニタ１９の画面に顧客が指を接触させることで、各種選択操作を行わせるようにしてもよい。
【００４６】
上記実施形態では、結婚式における写真撮影を例にして説明しているが、本発明はその他の形態、例えば商品撮影を行って広告用のパンフレットを作成する場合にも、同様に適用することができる。
【図面の簡単な説明】
【００４７】
【図１】写真撮影システムの構成を示す概略図である。
【図２】ICCプロファイルの補正時における、各種データの流れを示す説明図である。
【図３】色補正時における、各種データの流れを示す説明図である。
【図４】顧客管理ウィンドウを示す説明図である。
【図５】画像選択ウィンドウを示す説明図である。
【図６】写真撮影システムの別の構成を示す概略図である。
【符号の説明】
【００４８】
１０  写真撮影システム
１１  撮影スタジオ
１２  プリントラボ
１３  CMS補正処理サーバ
１４  コンテンツ提供サーバ
１７  デジタルカメラ
１８  プリント注文受付端末
１９  モニタ
２０  プリンタ
２１  プリント制御用端末
２２  写真プリンタ
【図１】
2006309462.tif 000003
【図２】
2006309462.tif 000004
【図３】
2006309462.tif 000005
【図４】
2006309462.tif 000006
【図５】
2006309462.tif 000007
【図６】
2006309462.tif 000008